(57)【要約】【課題】長期たわみ係数の小さい段差付き床スラブを提供すること。【解決手段】段差付き床スラブ（１０）は、プレストレスが導入された一対のＰＣ板（１２）であってこれらのプレストレス導入方向における端部（１２ａ）において上下方向に間隔をおいて重なり合うように配置された一対のＰＣ板と、両ＰＣ板上に打設されたコンクリートからなるコンクリート層（１４）と、コンクリート層に埋設された複数のＬ形の鉄筋（２２）とを含む。Ｌ形鉄筋は、上方のＰＣ板の端部を貫通して上下方向へ伸びる一片部（２４）と、下方のＰＣ板上をプレストレス導入方向へ伸びる他片部（２６）とを有する。【選択図】図１
2007107216.tif 000002
【特許請求の範囲】
【請求項１】
プレストレスが導入された一対のプレキャストコンクリート板であって、これらの前記プレストレスの導入方向における端部において上下方向に間隔をおいて重なり合うように配置された一対のプレキャストコンクリート板と、
両プレキャストコンクリート板上に打設されたコンクリートからなるコンクリート層と、
前記コンクリート層に埋設された複数のＬ形の鉄筋であって、上方に位置する前記プレキャストコンクリート板の端部を貫通して上下方向へ伸びる一片部と、下方に位置する前記プレキャストコンクリート板上を前記プレストレスの導入方向へ伸びる他片部とを有する複数のＬ形の鉄筋とを含む、段差付き床スラブの構造。
【請求項２】
さらに前記コンクリート層に埋設された複数の他のＬ形の鉄筋を含み、各Ｌ形の鉄筋は、前記下方に位置するプレキャストコンクリート板上から上方へ伸びる一片部と、前記上方に位置するプレキャストコンクリート板の上方を前記プレストレスの導入方向へ伸びる他片部とを有する、請求項１に記載の段差付き床スラブの構造。
【請求項３】
さらに前記コンクリート層に埋設された複数の他の鉄筋を含み、各鉄筋は、前記上方に位置するプレキャストコンクリート板上及び前記下方に位置するプレキャストコンクリート板上をそれぞれ前記プレストレスの導入方向へ伸びる一対の水平部と、両水平部に連なる傾斜部とを有する、請求項１または２に記載の段差付き床スラブ構造。
【発明の詳細な説明】
【技術分野】
【０００１】
本発明は、コンクリート造建築物における段差付き床スラブの構造に関する。
【背景技術】
【０００２】
建築物内の水回りにおける水勾配確保等のため、段差のある床面を有する床スラブ（段差付き床スラブ）が採用されている。また、段差付き床スラブの大スパン化が図られているところ、大スパン化に伴う前記段差付き床スラブにおけるひび割れの発生防止のため（ひび割れの発生は、床スラブの長期たわみ係数を増大させる。）、従来、前記段差付き床スラブの構成部材としてプレストレスが導入されたプレキャストコンクリート板が用いられている（後記特許文献１参照）。
【０００３】
前記従来の段差付き床スラブにあっては、一対のプレストレス導入のプレキャストコンクリート板がこれらの間に段差が存するように並べて水平に配置され、これらのプレキャストコンクリート板上に床面を規定するコンクリートが打設され、段差のある両プレキャストコンクリート板は打設コンクリートにより相互に接合され、一体にされている。
【０００４】
ところで、両プレキャストコンクリート板に導入されたプレストレスは両プレキャストコンクリート板の各端面においてはゼロであり、並べて配置された両プレキャストコンクリート板間において前記プレストレスは不連続である。このことから、床スラブに生じる曲げ応力が一方のプレキャストコンクリート板から他方のプレキャストコンクリート板に伝達されるとき、両プレキャストコンクリート板を結合する前記コンクリートの層にひび割れが生じやすい。このため、長期たわみ係数の小さいプレキャストコンクリート板を用いているにも拘わらず、段差付きスラブは全体として長期たわみ係数が大きいものとなっていた。
【特許文献１】特開２００４−１３７６７８号公報
【発明の開示】
【発明が解決しようとする課題】
【０００５】
したがって、本発明の目的は、長期たわみ係数の小さい段差付き床スラブを提供することにある。
【課題を解決するための手段】
【０００６】
本発明は、段差付き床スラブの構造に係り、プレストレスが導入された一対のプレキャストコンクリート板であってこれらの前記プレストレスの導入方向における端部において上下方向に間隔をおいて重なり合うように配置された一対のプレキャストコンクリート板と、両プレキャストコンクリート板上に打設されたコンクリートからなるコンクリート層と、前記コンクリート層に埋設された複数のＬ形の鉄筋であって、上方に位置する前記プレキャストコンクリート板の端部を貫通して上下方向へ伸びる一片部と、下方に位置する前記プレキャストコンクリート板上を前記プレストレスの導入方向へ伸びる他片部とを有する複数のＬ形の鉄筋とを含む。
【０００７】
前記段差付き床スラブは、さらに、前記コンクリート層に埋設された複数の他のＬ形の鉄筋を含み、各Ｌ形の鉄筋は、前記下方に位置するプレキャストコンクリート板上から上方へ伸びる一片部と、前記上方に位置するプレキャストコンクリート板の上方を前記プレストレスの導入方向へ伸びる他片部とを有するものとすることができる。
【０００８】
前記段差付き床スラブは、また、前記コンクリート層に埋設された複数の他の鉄筋を含み、各鉄筋は、前記上方に位置するプレキャストコンクリート板上及び前記下方に位置するプレキャストコンクリート板上をそれぞれ前記プレストレスの導入方向へ伸びる一対の水平部と、両水平部に連なる傾斜部とを有するものとすることができる。
【発明の効果】
【０００９】
本発明によれば、段差付き床スラブにおけるプレストレス導入の一対のプレキャストコンクリート板が、これらのプレストレス導入方向に関する端部、すなわちプレストレスが導入されている部分において上下方向に間隔をおいて重なり合うように配置されている。また、Ｌ形の鉄筋により、両プレキャストコンクリート板間のコンクリート層部分が補強され、比較的長期たわみ係数の小さいものとされている。このため、両プレキャストコンクリート板間に実質的にプレストレスの連続性が確保され、本発明に係る段差付き床スラブは比較的小さい長期たわみ係数を有する。本発明によれば、床スラブに生じる曲げ応力は、両プレキャストコンクリート板の端部間の前記コンクリート層部分にひび割れを発生させ又はひび割れの進展を生じさせることなく、両プレキャストコンクリート板の一方から他方へ円滑に伝達される。
【００１０】
他のＬ形鉄筋、又は他の鉄筋の配置により、前記プレキャストコンクリート板の端部の周囲における前記コンクリート層の一部を補強することができる。
【発明を実施するための最良の形態】
【００１１】
図１を参照すると、コンクリート造建築物における段差付き床スラブ（以下単に「床スラブ」という。）が全体に符号１０で示されている。
【００１２】
床スラブ１０は、プレストレスが導入された一対のプレキャストコンクリート板（以下単に「ＰＣ板」という。）１２と、コンクリート層１４とを含む。
【００１３】
両ＰＣ板１２はそれぞれ全体に矩形状の平面形状を有する。両ＰＣ板１２は上下に間隔をおいて水平に配置され、これらの一の端部（図示せず）において前記建築物の梁（図示せず）上に支持されている。また、両ＰＣ板１２はこれらの他の端部１２ａにおいて互いに重なり合っている。
【００１４】
両ＰＣ板１２にはそれぞれこれらに前記プレストレスを及ぼす複数のＰＣ鋼材（図示せず）が埋設されている。前記ＰＣ鋼材はＰＣ板１２中をその両端部の一方から他の一方へ伸び、これらの端部が規定する両端面１２ｂに固定されている。このように配置され、ＰＣ板１２中に定着されたＰＣ鋼材によってＰＣ板１２に導入された前記プレストレスの導入方向は、ＰＣ板１２の両端部の一方から他の一方へ向かう方向（長手方向）（図上において左右方向）であり、その大きさはＰＣ板の端面１２ｂにおいてゼロであり、互いに他の一方の端面１２ｂに向けて漸増し、所定距離（通常６００〜７００ｍｍ）を経た後一定となる。
【００１５】
コンクリート層１４は両ＰＣ板１２上に打設されたコンクリートからなり、段差１６のある床面１８を規定する。図示の例においては、両ＰＣ板１２の端部１２ａ間を埋めるコンクリート層１４の一部１４ａと、下方に位置するＰＣ板１２の端面１２ｂとによりさらに段差２０が形成されている。このため、床スラブ１０における両ＰＣ板１２の端部１２ａ及びこれらの近傍の部分はその厚さ寸法が他の個所における厚さ寸法より大きく、実質的に小梁部をなす。
【００１６】
本発明に係る床スラブ１０にあっては、前記プレストレスが導入された両ＰＣ板１２の端部１２ａが互いに間隔をおいて重なり合った状態でコンクリート層１４により互いに結合され、一体にされている。
【００１７】
また、両ＰＣ板の端部１２ａ間を埋めるコンクリート層１４の一部１４ａの曲げ耐力を向上させるため、コンクリート層１４中に複数のＬ形の鉄筋２２が埋設されている。
【００１８】
複数のＬ形の鉄筋２２はＰＣ板１２の幅方向（図上において紙背方向）に互いに間隔をおいて配置されている。各鉄筋２２は、上方に位置するＰＣ板１２の端部１２ａを貫通して上下方向へ伸びる一片部２４と、下方に位置するＰＣ板１２上を前記プレストレスの導入方向へ伸びる他片部２６とを有する。一片部２４をこれがＰＣ板１２を貫通するものとすることにより、その定着長を比較的大きいものとすることができる。
【００１９】
プレストレス導入部分である端部１２ａを互いに間隔をおいて重ね合わせ、かつ端部１２ａ間に複数のＬ形鉄筋２２を配置することにより、端部１２ａ間のコンクリート層１４の一部１４aを端部１２ａと同等の小さい長期たわみ係数を有するものとすることができる。このため、床スラブ１０に生じる曲げ応力の伝達時におけるコンクリート層の一部１４ａへのひび割れの発生が抑えられまたびひび割れの進展が抑えられ、前記曲げ応力は一方のＰＣ板１２から他方のＰＣ板１２に円滑に伝達される。これにより、曲げによって生じる引張り加重を両ＰＣ板に確実に負担させることができる。このため、床スラブ１０自体の長期たわみ係数を比較的小さいものとすることができる。
【００２０】
また、これにより、床スラブ１０のコンクリート層１４中への配筋量を低減することができ、図示の例では、各ＰＣ板１２の上方に上下一対のメッシュ筋２７が配置されている。
【００２１】
好ましくは、前記前記小梁部の補強のため、さらにコンクリート層１４中に複数の他のＬ形の鉄筋２８が埋設される。これらの鉄筋２８は、前記したＬ形鉄筋２２と同様にＰＣ板１２の幅方向に互いに間隔をおいてかつＬ形鉄筋２２と対向するように配置されており、Ｌ形鉄筋２２と共同して全体に矩形部分を規定する。
【００２２】
他のＬ形鉄筋２８は、下方に位置するＰＣ板１２上から上方へ伸びる一片部３０と、上方に位置するＰＣの上方を前記プレストレスの導入方向へ伸びる他片部３２とを有する。
【００２３】
さらに、前記小梁部の補強のため、コンクリート層１４に複数の他の鉄筋３４，３６を配置することが望ましい。各鉄筋３４，３６は、上方に位置するＰＣ板１２上及び下方に位置するＰＣ板上をそれぞれ前記プレストレスの導入方向へ伸びる一対の水平部３８，４０と、両水平部３８，４０に連なる傾斜部４２とを有する。
【００２４】
これらの付加鉄筋２８，３４，３６をより多量に配置することができるときは、両ＰＣ板の端部１２ａの前記プレストレス導入方向における相互重なり量（オーバラップ長）をより小さいものとすることができる。
【図面の簡単な説明】
【００２５】
【図１】本発明に係る段差付き床スラブの概略的な部分縦断面図である。
【符号の説明】
【００２６】
１０  段差付き床スラブ
１２  プレキャストコンクリート板
１４  コンクリート層
１６  段差
２２  Ｌ形鉄筋
２８，３４，３６  他の鉄筋
【図１】
2007107216.tif 000003